(57)【要約】【課題】  印刷後のインクリボンに残ったネガ状の印刷内容から印刷情報が漏洩することを抑止する。【解決手段】  本発明は、土台層に少なくともインク層が積層されたインクリボンに関する。そして、本発明のインクリボンにおいて、上記土台層は、印刷装置によって上記インク層が媒体に付着した領域の一部又は全部が、上記インク層と同一又は近似する色となること、又は、上記土台層の一部又は全部が、上記インク層と同一又は近似する色に着色されていることを特徴とする。【選択図】      図１
2011011537.tif 000002
【特許請求の範囲】
【請求項１】
土台層に少なくともインク層が積層されたインクリボンにおいて、
上記土台層は、印刷装置によって上記インク層が媒体に付着した領域の一部又は全部が、上記インク層と同一又は近似する色となる
ことを特徴とするインクリボン。
【請求項２】
上記インク層は、上記印刷装置のサーマルヘッドから印加された熱によって上記媒体に付着し、
上記土台層は、サーマルヘッドにより熱が加えられた領域が、上記インク層と同一又は近似する色に変色するものである
ことを特徴とすることを特徴とする請求項１に記載のインクリボン。
【請求項３】
土台層に少なくともインク層が積層されたインクリボンであって、
上記土台層の一部又は全部が、上記インク層と同一又は近似する色に着色されている
ことを特徴とするインクリボン。
【請求項４】
上記土台層に、上記インク層と同一又は近似する色の模様が付されている
ことを特徴とする請求項３に記載のインクリボン。
【請求項５】
上記土台層は、サーマルヘッドにより加えられる熱の加え方により複数の色に変色するものであり、熱が加えられた領域が、上記インク層と同一又は近似する色に変色する
ことを特徴とする請求項１又は２に記載のインクリボン。
【請求項６】
上記土台層に、上記インク層と同一又は近似する色を含む複数の色の模様が付されていることを特徴とする請求項３に記載のインクリボン。
【発明の詳細な説明】
【技術分野】
【０００１】
本発明は、インクリボン、インクリボンカートリッジ及び印刷装置に関し、例えば、機密情報を印刷する印刷装置に適用することができる。
【背景技術】
【０００２】
従来の熱転写式の印刷装置（例えば、特許文献２に記載の印字装置）におけるインクリボン（例えば、特許文献１に記載のインクリボン）では、土台層（以下、「支持体」とも言う）に積層されたインク層を媒体に付着させることにより印刷しているが、媒体への印刷終了後に、インクリボンに媒体に印刷された内容がネガ状に残ってしまい、使用済のインクリボンが第三者の手に渡ると、当該第三者が媒体に印刷した情報（印刷情報）を把握することができてしまうという問題がある。なお、以下の説明において、印刷後のインクリボンに残ったネガ状の印刷内容を「印刷残像」というものとする。
【０００３】
このような、印刷済のインクリボンから印刷残像により印刷情報が漏洩してしまうという問題を解決する従来技術としては、特許文献３〜５の記載技術がある。
【０００４】
特許文献３に記載された熱転写記録装置では、印刷終了後に、インクリボンの印刷された部分を巻戻して全黒を印刷するように印刷用のサーマルヘッドを発熱させることによりインクリボン上の印刷残像を抹消している。
【０００５】
特許文献４に記載されたプリンタでは、インクリボンを有するリボンカセットのロック機構を備え、いったんリボンカセットが当該プリンタに搭載されると、上記ロック機構を所定の認証手段により認証受けて解除しなければ取り出せないようにして、印刷済のインクリボンの印刷残像が第三者の目に触れないようにしている。
【０００６】
特許文献５に記載されたインクリボンでは、カラー印刷に用いられるインクリボンであり、リボン色検出用のブラックマーク部に熱可塑性接着剤を混入することにより、印刷済のインクリボンが巻き取られた際に、使用済みインクリボン同士が接着するため、印刷残像を見難くしている。
【先行技術文献】
【特許文献】
【０００７】
【特許文献１】特開平５−２４６１５８号公報
【特許文献２】特開平６−１２２２６４号公報
【特許文献３】特開平１０−０８６４２４号公報
【特許文献４】特開平６−２９３１７３号公報
【特許文献５】特開２００７−１６８０８３号公報
【発明の概要】
【発明が解決しようとする課題】
【０００８】
しかしながら、特許文献３、４の記載技術では、導入するには印刷装置（プリンタ）を置き換える必要があり、導入コストが大きくなる。特に、特許文献４の記載技術では、印刷残像はそのまま残る上、認証手段により認証を受けなければインクリボンカセットを取り出すことができない等、煩雑な操作が必要となる。
【０００９】
また、特許文献５の記載技術では、使用済みインクリボン同士が接着されているだけで、印刷残像はそのままインクリボンに残っているため、接着部分を破断して、つなぎなおしたり、接着剤を剥離することにより印刷残像を見ることができ、機密情報の漏洩防止としては不十分なものとなってしまうという問題がある。また、特許文献５の記載技術では、リボン色検出用のブラックマーク部に熱可塑性接着剤を混入するためカラー印刷用のインクリボンでなければ導入できず、単色のインクリボンには適用できないという問題もある。
【００１０】
そのため、印刷後のインクリボンに残ったネガ状の印刷内容から印刷情報が漏洩することを、現状の印刷装置やインクリボンが納められたカートリッジの構造を従来と変更しなくても防止することができる、新規なインクリボン、インクリボンカートリッジ及び印刷装置が望まれている。
【課題を解決するための手段】
【００１１】
第１の本発明のインクリボンは、（１）土台層に少なくともインク層が積層されたインクリボンにおいて、（２）上記土台層は、印刷装置によって上記インク層が媒体に付着した領域の一部又は全部が、上記インク層と同一又は近似する色となることを特徴とする。
【００１２】
第２の本発明のインクリボンは、（１）土台層に少なくともインク層が積層されたインクリボンであって、（２）上記土台層の一部又は全部が、上記インク層と同一又は近似する色に着色されていることを特徴とする。
【００１３】
第３の本発明の印刷装置は、（１）インクリボンを備える印刷装置において、（２）上記インクリボンとして第１又は第２の本発明のインクリボンを適用したことを特徴とする印刷装置。
【００１４】
第４の本発明のインクリボンカートリッジは、（１）印刷装置の印刷に用いられるインクリボンを収納して、上記印刷装置に着脱自在に装着されるインクリボンカートリッジにおいて、（２）上記インクリボンとして第１又は第２の本発明のインクリボンを適用したことを特徴とする。
【発明の効果】
【００１５】
印刷後のインクリボンに残ったネガ状の印刷内容から印刷情報が漏洩することを抑止できる。
【図面の簡単な説明】
【００１６】
【図１】第１の実施形態に係るインクリボンの印刷後の状態を示した説明図である。
【図２】第１の実施形態に係るインクリボンの構成について示した断面図である。
【図３】第１の実施形態に係るインクリボンカートリッジの構成例を示す構成図である。
【図４】第１の実施形態に係るインクリボンカートリッジを収納した印刷装置の外観構成を示す構成図である。
【図５】第１の実施形態に係るインクリボンを用いて媒体に印刷した際の、インクリボン及び媒体の状態について示した断面図である。
【図６】第２の実施形態に係るインクリボンの印刷後の状態を示した説明図である。
【図７】第３の実施形態に係るインクリボンの印刷後の状態を示した説明図である。
【図８】第４の実施形態に係るインクリボンの土台層の構成を説明する説明図である。
【図９】第５の実施形態に係るインクリボンの構成について示した断面図である。
【図１０】第５の実施形態に係る印刷装置の内部構成を示す内部構成図である。
【図１１】第５の実施形態に係る印刷装置における熱印加設定処理を説明するフローチャートである。
【図１２】第５の実施形態に係る印加設定テーブルの構成例を示す構成図である。
【図１３】第５の実施形態に係るインクリボンの印刷後のインク層及び土台層の状態を説明する断面図である。
【図１４】第５の実施形態に係るインクリボンの印刷後の状態を示した説明図である。
【発明を実施するための形態】
【００１７】
（Ａ）第１の実施形態
以下、本発明によるインクリボン、インクリボンカートリッジ及び印刷装置の第１の実施形態を、図面を参照しながら詳述する。
【００１８】
（Ａ−１）第１の実施形態の構成
図２は、第１の実施形態のインクリボン１０の構成を示した断面図である。
【００１９】
図３は、第１の実施形態のインクリボンカートリッジ２０の構成例について示した簡略平面図である。
【００２０】
図４は、第１の実施形態の印刷装置３０の構成例について示した簡略平面図である。
【００２１】
なお、図２〜図４における括弧内の符号は、後述する第２又は第３の実施形態で用いる符号である。
【００２２】
インクリボン１０は、熱転写式のリボンである。インクリボン１０は、図３、図４に示す印刷装置３０に着脱自在に装着されるインクリボンカートリッジ２０に納められ、インクカートリッジ２０が印刷装置３０に搭載されることによって印刷装置３０に装着される。
【００２３】
図３に示すように、インクリボンカートリッジ２０は、印刷前の（印刷に未だ用いられていない）インクリボン１０がインクリボンコア２１に巻き付けられ、印字用のテープ（媒体）２３への印刷に用いられた使用済のインクリボン１０がインクリボンコア２２に巻き取られる構造が採用される。
【００２４】
媒体２３は、媒体コア２４に巻き付けられ、プラテン２５の位置においてインクリボン１０と当接可能とされ、開口部２６から外部に排出される。
【００２５】
インクリボンカートリッジ２０は、サーマルヘッド導入穴部２７が設けられ、図４に示す印刷装置３０におけるカートリッジ収納位置に収納されると、印刷装置３０のサーマルヘッドがサーマルヘッド導入穴部２７に挿入され、プラテン２５側にインクリボン１０及び媒体２３を押しつけ、印字データに応じてインクリボン１０に所定の熱を印加することでインクリボン１０が媒体２３に転写される。この印刷動作にあわせてインクリボン１０及び媒体２３を搬送することで媒体２３に印字データが印刷される。
【００２６】
インクリボンカートリッジ２０のその他の構成や印刷装置３０の印刷機構・処理などは従来の構成・処理などを適宜採用すればよいため詳しい説明を省略する。
【００２７】
次に、インクリボン１０の詳細構成について説明する。
【００２８】
図２に示すように、インクリボン１０では、土台層１１の上にインク層１２が積層されている。
【００２９】
図５は、インクリボン１０を用いて媒体に印刷した際の、インクリボン及び媒体の状態について示した断面図である。
【００３０】
上記の通り、図５に示すように、印刷装置３０は、サーマルヘッドにより印刷データに応じた熱をインクリボン１０へ印加することで、当該熱が印加された領域のインク層１２が土台層１１から離れて媒体２３に付着する。これにより媒体２３に印刷データが印刷される。従って、印刷後のインクリボン１０は、印刷層１２から視認した際、インク層１２が剥離した部分、すなわち印刷に使われた部分だけ土台層１１が視認可能な状態になる。
なお、インク層１２が剥離した部分の形状は印刷データに対してネガの関係にあるため、従来のインクリボンでは印刷データを使用済みインクリボンから視認することが可能となっていた。
【００３１】
インク層１２としては、既存の熱転写式プリンタにおけるインクリボンのインク層を用いることができる。第１の実施形態においては、インク層１２は黒色一色である形態を示す。
【００３２】
土台層１１は、インク層１２が媒体２３と当接した状態においてインク層１２が積層された側とは反対側からサーマルヘッドによって熱が加えられた場合にインク層１２が媒体２３に付着して土台層１１には残らない程度の結合力にてインク層１２を積層保持するリボンである。本実施形態における土台層１１は、インク層１２と同一又は近似する色、すなわち黒色若しくは黒に近い色に着色されている。これにより、印刷後のインクリボン１０は、インク層１２が抜けている部分を視認できなくなるので／視認しにくくなるので、印刷データを確認できなくなる／目視で印刷データを認識することが極めて困難となる。
なお、インク層１２と近似する色とは、このように印刷後のインクリボン（リンク層１２が媒体２３に転写された後のインクリボン）を目視で確認した際、インク層１２がない部分とある部分との差が分からない／確認しづらい色であればよい。
【００３３】
土台層１１を着色する方法は、特に限定されないが、例えば、土台層１１にインク層１２と同一又は近似する色の顔料や着色剤を練りこんだり、インク層１２と同一又は近似する色の塗料でコーティングを施したり、上記色の層を別途設けたり（例えば、ラミネート加工で着色層を設けたり）することで実現できる。当然、当初からインク層１２と同一または近似する色に成形される材料にて土台層１１を作成することでも実現できる（以下、この場合も含めて「土台層を着色する」と記載する。）。
【００３４】
次に、印刷した後の、インクリボン１０の状態について説明する。
【００３５】
図１は、インクリボン１０の印刷後の状態を示した正面図である。
【００３６】
図１（ａ）は、印刷後のインク層１２の状態を示している。図１に示すインクリボンは、図１（ａ）に示すように、「ＧＦＥＤＣＢＡ」からなる文字列（印刷データ）が媒体２３に印刷されたため、インク層１２から当該印刷データに対応する部分が剥離しており、白紙の上に当該インク層１２を配置すると図に示すように白色で上記印刷データのネガの情報を視認することができる。すなわち、図中白色の部分は印刷によりインク層１２が土台層１１から剥離した部分であり、黒色の部分は印刷後もインク層１２が土台層１１に残存している部分である。
【００３７】
図１（ｂ）は、土台層１１を示しており、全面に渡りインク層１２と同じ黒色に着色されている。
【００３８】
そして、図１（ｃ）は、印刷後のインクリボン全体の状態、すなわち図１（ａ）のインク層１２と図１（ｂ）の土台層１１を重ね合わせた状態を示している。
【００３９】
図１（ｃ）に示すように、インクリボン１０では、土台層１１の色と、インク層１２の色は同一（黒色一色）であり、印刷後でも区別が付かない状態／区別がつきにくい状態である（黒色一色となって／ほぼ黒色一色に見える。）。
【００４０】
（Ａ−２）第１の実施形態の効果
第１の実施形態によれば、以下のような効果を奏することができる。
【００４１】
インクリボン１０において、土台層１１をインク層１２と同一又は近似する色に着色したため、印刷後において、土台層１１側、インク層１２側のいずれから目視しても、インク層１２が残存した部分の色と剥離した部分の色の差がないため、図１（ｃ）に示すように両者を区別することができない／極めて困難になる。従って、印刷残像から印刷内容を認識し難いものにできる。
【００４２】
上記の通り、本実施形態は土台層１１さえインク層と同一・近似の色に着色すれば印刷データ漏洩を防止できるため、印刷装置３０及びインクリボンカートリッジ２０のその他の構成は、既存の規格を変更することなく採用することもできる。従って、上記作用・効果を低コストで実現することも可能である。
【００４３】
なお、上記実施形態においてはインクリボン１０をインクリボンカートリッジ２０に収納した構成を示すが、印刷装置にインクリボン１０を直接搭載・収納した構成としても良い。
【００４４】
上記実施形態において、インクリボンカートリッジ２０は、媒体２３も搭載しているが、媒体は別個のカートリッジから供給されるようにしたり本体に直接装填されるようにして、インクリボンカートリッジにはインクリボン１０のみが搭載されている構成にすることも当然に可能である。
【００４５】
媒体２３は、上記機構においてインク層１２が転写・固定可能なものであればよい。インク層１２の材料・製法も、採用される媒体２３の性能や土台層１１の性能に応じて適宜選択される。
【００４６】
上記では単色印刷の構成を用いて説明したが、一枚のインクリボン１０でカラー印刷を行うべくインクリボン１０の場所によって異なる色のインク層１２を土台層１１に積層する場合、土台層１１は、積層されているインク層１２の色に対応した色に着色される。
【００４７】
上記実施形態においては、土台層１１を全面に渡って同一の色（黒色）に着色したが、必ずしも全面に渡って同一の色又は近似する色に着色する必要はない。印刷装置の制約で印刷できない領域はそもそも着色不要であり、また、印刷可能な領域であっても一部着色しなくても全体としては印刷残像が視認困難／視認できる部分から印刷データを解読することが困難（不可能）となるからである。土台層の着色には、このように、全面に渡った着色のみならず、本発明の作用・効果を十分に発揮する着色も含まれる。
【００４８】
（Ｂ）第２の実施形態
以下、本発明によるインクリボン、インクリボンカートリッジ及び印刷装置の第２の実施形態を、図面を参照しながら詳述する。
【００４９】
（Ｂ−１）第２の実施形態の構成
第２の実施形態では、土台層１１に印刷装置３０のサーマルヘッドにより印刷時に加えられる熱によりインク層１２と同一又は近似する色に変色する。
【００５０】
第２の実施形態のインクリボン、インクリボンカートリッジ、印刷装置の構成は、それぞれ図２、図３、図４に示す構成に対応するため、第２の実施形態でも同じ図を用いて説明する。第１の実施形態に対応する構成要素の符号には、末尾にそれぞれＡを付す。
【００５１】
なお、第２の実施形態は、土台層１１Ａ以外は第１の実施形態と同様であるので、土台層１１Ａ以外の構成については詳しい説明を省略する。
【００５２】
印刷装置３０Ａは熱転写式であり、印刷する際、図示しないサーマルヘッドにより土台層１１Ａにおけるインク層１２Ａが積層された側とは反対側の面からプラテン２５方向に印刷データに対応した熱を加えることで、媒体２３に印刷データに応じたインク層１２Ａが移る。すなわち、土台層１１Ａのうちインク層１２が剥離する領域においては、土台層１１Ａにもサーマルヘッドにより加熱される。
【００５３】
そこで、本実施形態においては、土台層１１Ａに、サーマルヘッドによって印刷時に加えられる熱によってインク層１２Ａの色と同一若しくは近似する色に熱変色するものを用いている。これにより、インク層１２が剥離した領域は、インク層１２Ａと同一若しくは近似する色に変色することになる。
【００５４】
土台層１１Ａを熱変色させる方法としては公知の種々の方法を採用でき、例えば、土台層１１Ａに、熱変色する着色剤や顔料（熱変色性含量）などを錬りこんだり、着色された層（熱変色層）を設けたり（例えば、ラミネート加工により熱変色層を設けたり）しても良い。熱変色する材料で土台層１１Ａを作成してもよい。
【００５５】
なお、第２の実施形態においてもインク層１２は黒色とし、土台層１１Ａが変色した後の色も黒色とする。
【００５６】
図６は、第２の実施形態におけるインクリボン１０Ａの印刷後の状態を示した説明図である。
【００５７】
図６（ａ）は、印刷後のインクリボン１０Ａにおけるインク層１２の状態を示している。この状態は図１（ａ）と同じである。
【００５８】
図６（ｂ）は、印刷後の土台層１１Ａの状態を示している。図６（ｂ）に示すように、サーマルヘッドによって印刷データ「ＧＦＥＤＣＢＡ」に対応する熱が加えられた部分は黒色に変色しており、その他の部分は変色していない（図では白色で示している。）。
【００５９】
そして、図６（ｃ）は、印刷後のインクリボン１０Ａ全体の状態、すなわち図６（ａ）のインク層と図６（ｂ）の土台層１１Ａを重ね合わせた状態を示している。
【００６０】
図６（ｃ）に示すように、インクリボン１０Ａは、土台層１１Ａにおいて、インク層１２が剥離した部分と土台層１１Ａにおいて加熱により変色した部分が一致し、土台層１１Ａの変色部分の色は土台層１１Ａに残存したインク層１２の色と同じであるため、全体として黒色一色と視認されることになる。
【００６１】
（Ｂ−２）第２の実施形態の効果
インクリボン１０Ａは、土台層１１Ａがサーマルヘッドから印刷時に加えられる熱によりインク層１２と同一又は近似する色に変色するため、印刷後にインク層１２Ａが残存する部分と媒体２３Ａに転写された部分とを視覚によって区別することを困難とし、印刷残像から印刷内容を認識することを困難としている。すなわち、第２の実施形態でも、第１の実施形態と同様の効果を奏することができる。
【００６２】
なお、上記実施形態においてはインク層が全面に渡って同一の熱変色性能を備える形態を示したが、印刷機構の制約により印刷不能な領域は当該性能を具備している必要はない。また、当該性能を具備している領域においても、全ての部分が同一の性能を備えず、例えば一部が他の部分と異なる色に変色するようにしてもよい。このように変色したインクリボンは、上記の通り印刷残像を視覚にて認識困難なだけでなく、当該一部内における熱変色した部分のみが他の部分と色が異なるため、看者の注意は当該変色部分に向くので、印刷残像の知覚も困難にできる。
【００６３】
（Ｃ）第３の実施形態
以下、本発明によるインクリボン、インクリボンカートリッジ及び印刷装置の第３の実施形態を、図面を参照しながら詳述する。
【００６４】
（Ｃ−１）第３の実施形態の構成
第３の実施形態では、土台層１１の一部だけをインク層１２と同一又は近似する色に着色している。
【００６５】
第３の実施形態のインクリボン、インクリボンカートリッジ、印刷装置の構成は、それぞれ図２、図３、図４に示す構成に対応するため、第２の実施形態でも同じ図を用いて説明し、各構成の符号の末尾にＢを付す。また、土台層以外の構成については第１の実施形態と同様であるので詳しい説明を省略する。
【００６６】
土台層１１Ｂは、印刷後に、印刷残像を認識し難い模様が付される（当該模様に対応する場所が着色される。）。印刷後に、印刷残像を認識し難くする模様としては、例えば、主として文字が印刷される場合には、その印刷される文字と同程度の大きさの文字を組み合わせた模様などが挙げられる。
【００６７】
土台層１１Ｂの一部を着色する方法としては、第１の実施の形態と同等の方法において上記模様を表示できるようにすればよいが、当該模様を土台層１１Ｂに付す必要があるため、一般には模様を土台に印刷した後にインク層１２を積層してインクリボンが作成される。
【００６８】
第３の実施形態では、土台層１１Ｂには、インク層１２と同一の黒色で、印刷する文字と同程度の大きさの文字を組み合わせた模様が付されている。
【００６９】
次に、第３の実施形態において、媒体に印刷した後のインクリボン１０Ｂの状態について説明する。
【００７０】
図７は、インクリボン１０Ｂの印刷後の状態を示した説明図である。
【００７１】
図７（ａ）は、印刷後のインクリボン１０Ｂにおけるインク層１２の状態を示している。図７（ａ）において白色の部分は、印刷によりインク層１２が剥離した部分であり、光を透視し、黒色の部分は、印刷後もインク層１２が残存した部分であり、光を透視しない。
【００７２】
図７（ｂ）は、土台層１１Ｂを示しており、黒色の部分はインク層１２と同一の色で着色されており、白色の部分は特に着色されていない（白色である。）。
【００７３】
図７（ｂ）に示すように、土台層１１Ｂには、図７（ａ）に示すネガ状に残存した印刷残像の「ＧＦＥＤＣＢＡ」という文字列の文字（印刷データ）と、同程度の大きさの文字の文字列「１２３４５６７８」の組み合わせの模様が予め印刷されている。
【００７４】
そして、図７（ｃ）は、印刷後のインクリボン１０Ｂ全体の状態、すなわち図７（ａ）のインク層と図７（ｂ）の土台層を重ね合わせた状態を示している。
【００７５】
図７（ｃ）に示すように、インクリボン１０Ｂは、インク層１２の色と土台層１１Ｂにおいて着色された模様の色とが同一（若しくは近似）であるため、印刷後において、印刷残像と土台層１１Ｂの模様とが重ね合わされた状態となる。
【００７６】
（Ｃ−２）第３の実施形態の効果
インクリボン１０Ｂにおいては、土台層１１にインク層１２と同一又は近似する色の模様が予め付されているため、印刷後のインクリボン１０Ｂにおける印刷残像の内容を認識し難くしている。すなわち、印刷残像と土台層１１の模様の内容が重畳してしまい、印刷残像（印刷データ）の内容を知覚することが困難となり、結果として印刷情報の漏洩を抑止することができる。
【００７７】
なお、上記実施形態においては通常印刷されるデータ（文字）と同程度の大きさの模様（文字、記号を含む。）が土台層１１Ｂを付した例を示したが、例えば通常印刷されるデータに比して十分に小さい模様（文字）を付してもよい。これにより、インクリボン１０Ｂにおいてインク層１２Ｂが抜けた部分において多数の文字が表示されることとなり、看者の注意を土台層１１Ｂの表示に引きつけることができ、印刷残像を知覚しにくくすることができる。
【００７８】
また、図７（ｂ）では意味のない文字列を土台層１１Ｂに付したが、意味のある文字列を付すことで、看者は土台層１１Ｂの文字列に注目するため、結果として印刷残像を知覚しにくくすることができる。
【００７９】
さらに、土台層１１Ｂに模様を付していない部分において第１の実施形態若しくは第２の実施形態の構成を採用することで、印刷残像の一部が他の部分と区別できなくなる／極めて区別しにくくなり、かつ、土台層１１Ｂの文字列に看者の注意を引きつけるため、看者による印刷残像の把握を極めて困難なものにできる。
【００８０】
（Ｄ）第４の実施形態
次に、本発明のインクリボン、インクリボンカートリッジ及び印刷装置の第４の実施形態を、図面を参照しながら説明する。
【００８１】
第１〜第３の実施形態では、インク層１２の色が一色の場合を想定して説明した。しかし、インクリボン１０には、例えば、赤色、青色、黒色、緑色、白色などいろいろな色がある。そのため、印刷情報の漏洩を防止するためには、それぞれのインク層１２の色に応じて、着色した又は変色可能な土台層１１を作製することが必要となる。つまり、それぞれの色に応じた土台層１２を持つインクリボン１０を作製することが必要となってしまう。そうすると、インクリボン１０の生産コストが高くなったり、生産上、柔軟性な対応がとれない場合が生じ得る。そこで、第４の実施形態では、インク層１２の色に関わらず、複数のインク層１２の場合にも対応可能なインクリボン１０を作製できるようにする実施形態を例示する。
【００８２】
（Ｄ−１）第４の実施形態の構成
図８は、第４の実施形態のインクリボン１０の土台層１１の構成を説明する説明図である。
【００８３】
第４の実施形態のインクリボン、インクリボンカートリッジ、印刷装置の構成は、それぞれ図２、図３、図４に示す構成に対応するため、第４の実施形態でも同じ図を用いて説明し、各構成の符号の末尾にＣを付す。また、土台層以外の構成については第１の実施形態と同様であるので詳しい説明を省略する。
【００８４】
図８に例示する土台層１１Ｃは、図７（ｂ）で例示した場合と同様に、複数の文字列が重なるように、模様が予め印刷されている。図８に例示する土台層１１Ｃが、図７（ｂ）と異なる点は、それぞれの文字列が行毎に異なる色で印刷されている点である。
【００８５】
例えば、図８の例示する土台層１１Ｃには、５行の複数の文字列が重なるように印刷されている場合を例示するが、第１行目であるＬ１の文字列は「黒色」で印刷されており、第２行目のＬ２の文字列は「赤色」、第３行目のＬ３の文字列は「黒色」、第４行目のＬ４の文字列は「青色」、第５行目のＬ５の文字列は「黒色」で印刷されている。土台層１１Ｃにおける文字列Ｌ１〜Ｌ５が印刷されていない領域は、この実施形態では透明である。
【００８６】
従って、土台層１１Ｃに積層されるインク層１２の色が赤色、黒色、青色のいずれであっても上記土台層１１Ｃだけで対応できる（すなわち、１つの土台層１１Ｃを用いて複数の印字色のインクリボン１０Ｃを作製することができる）。
【００８７】
土台層１１Ｃに印刷されている文字の色がそれぞれ異なり、更にこれら文字が重なるように印刷されているから、印刷後の印刷残像は、土台層１１Ｃの文字の色と重畳することになり、第３の実施形態と同様に、印刷情報の漏洩を抑止できる。
【００８８】
また、印刷後の印刷残像（図７（ａ）に示すような印刷した部分だけが抜けたインク層）における印刷に供された部分（インクが抜けている部分）は、インク層１２と同色の文字列Ｌ１〜Ｌ５の文字が重なっている箇所によって当該部分の外観を認識困難となり、それ以外の部分は、他の色の文字列Ｌ１〜Ｌ５の文字若しくは土台層１１Ｃの色（この実施形態では透明であるため１１Ｃを介して視認される色）が呈される。すなわち、同色の文字列Ｌ１〜Ｌ５の文字によって、外観上印刷された情報の解読が困難な状態で、さらに残りの部分が他の色若しくは土台層１１Ｃの色のいずれかが他に比べて強く認識され、全体として印刷された情報の判別が極めて困難となる。
【００８９】
印刷装置３０で通常印刷される文字サイズ（例えば１２ポイント）よりも十分に小さな文字サイズ（例えば２〜３ポイント）のサイズの文字列Ｌ１〜Ｌ５を設ければ、印刷に供された部分（インクが抜けている部分）を介してこれらの文字列が表示されるため、印刷に供された部分の外観形状の判別が困難になるが、この実施形態では、複数の色の文字列Ｌ１〜Ｌ５が存在するため、インク層１２との比較で視認されやすい色の文字列Ｌ１〜Ｌ５が特に注目されるなど、土台層１１Ｃに形成する画像を全て同色とした場合とは異なる印刷に供された部分の視認のしにくさを実現できる。
【００９０】
なお、図８では、各行の文字列の色が異なる場合を例示したが、この実施形態に限定されるものではなく、例えば各行の文字毎に異なる色で印刷するようにしてもよい。例えば、各行について、赤色、青色、黒色、赤色、青色、…のように文字の色を変えるようにしてもよい。
【００９１】
また、図８に例示する土台層１１Ｃは、各行が数字からなる文字列を例示したが、これは模様の一例であり、その他に、ひらがな、カタカナ、英字、記号、絵文字、キャラクタ等又はこれらを組み合わせたものとしてもよい。また、図８では、土台層１１Ｃに印刷する文字列を５行とする場合を例示したが、その行数は特に限定されるものではない。さらに、土台層１１Ｃに印刷する文字の大きさも、特に限定されるものではなく、印刷されるデータより大きくしてもよいし、小さくしてもよい。
【００９２】
（Ｃ−２）第４の実施形態の効果
以上のように、第４の実施形態によれば、土台層１１Ｃに、複数の色からなる文字列を印刷することで、インクリボン１０のインク層１２の色に関わらず、印刷残像と土台層１１Ｃの模様の内容が重畳することで、印刷残像（印刷データ）の内容を知覚することが困難となり、結果として印刷情報の漏洩を抑止することができる。
【００９３】
また、第４の実施形態によれば、土台層１１Ｃに複数の色からなる模様を印刷することで、いろいろな色のインク層１２にも対応することができる。そのため、インクリボンの全ての色に応じて土台層を作製する場合に比べて、インクリボン１０Ｃの生産コストを抑えることができ、かつ、柔軟な対応ができる。
【００９４】
（Ｅ）第５の実施形態
次に、本発明のインクリボン、インクリボンカートリッジ及び印刷装置の第５の実施形態を、図面を参照しながら説明する。
【００９５】
第５の実施形態も、第４の実施形態と同様に、インク層１２の色に関わらず印刷情報の漏洩を抑止できるものである。第５の実施形態は、印刷時に、印刷装置３０のサーマルヘッドから印加される熱の印加方法の違いにより、土台層１１が異なる色に変色する実施形態を例示する。
【００９６】
（Ｅ−１）第５の実施形態の構成
第５の実施形態のインクリボン、インクリボンカートリッジ、印刷装置の構成は、それぞれ図２、図３、図４に示す構成に対応するため、第５の実施形態でも同じ図を用いて説明し、各構成の符号の末尾にＤを付す。
【００９７】
（Ｅ−１−１）インクリボンの構成
図９は、第５の実施形態のリンクリボン１０Ｄの構成を説明する断面図である。図９において、第５の実施形態のインクリボン１０Ｄは、印刷装置３０Ｄのサーマルヘッドから印加される熱の印加時間、印加温度のいずれか又は両方が違うことにより、異なる色に変色するものである。
【００９８】
図９に示すように、第５の実施形態のインクリボン１０Ｄは、土台層１１Ｄとインク層１２とを有する。さらに、土台層１２Ｄは、基台１１１の上に、黒色発色層１１２、青色発色層１１３、赤色発色層１１４が積層されて構成される。
【００９９】
図９に例示する黒色発色層１１２、青色発色層１１３、赤色発色層１１４は、それぞれ熱の加え方によって発色する色が異なるものである。ここで、黒色発色層１１２、青色発色層１１３、赤色発色層１１４は、それぞれ温度によって発色するものであれば、特に限定されるものではない。
【０１００】
例えば、黒色発色層１１２は、熱が印加されていない場合には、無色透明であるが、ある温度の熱が印加されると黒色又はこれに近似する色に変色する熱変色性材料からなるものである。これにより、インク層１２が黒色の場合、インク層１２が剥離した部分と、熱の印加により黒色に変色した土台層１２Ｄとが重畳するので、印刷残像を視認することができなくなる。青色発色層１１３及び赤色発色層１１４についても、同様に、熱印加前は無色透明であるが、ある温度の熱が印加されると青色又は赤色等に変色するものである。
【０１０１】
なお、基台１１１上に積層する発色層１１２〜１１４の順序は特に限定されるものではないが、例えば、発色させる温度が低い発色層を基台１１１に近い側に積層するようにしてもよい。また、図９では、土台層１１Ｄが３色の発色層を有する場合を例示したが、発色層の積層数は特に限定されるものではない。
【０１０２】
また、土台層１１Ｄが温度によって異なる色に変色することができれば、複数の発色層を積層しなくてもよい。例えば、印加する温度を変えることにより、熱分解等の化学変化を起こし異なる色に変色する多色変化を行なう顔料を、基台１１１上に塗ったり又は土台層１１Ｄの材料として練り込むようにしてもよい。これにより、複数の層を積層しなくてもよくなる。
【０１０３】
（Ｅ−１−２）印刷装置の構成
次に、インクリボン１０Ｄの土台層１１Ｄを複数の色に発色させるための第５の実施形態の印刷装置３０Ｄの構成を、図面を参照しながら説明する。
【０１０４】
図１０は、第５の実施形態の印刷装置３０Ｄの内部構成を示す内部構成図である。図１０において、第５の実施形態の印刷装置３０Ｄは、大きくは、入力部４０、制御部５０、出力部６０から構成されている。
【０１０５】
入力部４０は、ユーザが操作する操作キー（やダイヤルキー）を備えたキー入力部４１、印字色検出センサ４２を有する。入力部４０は、種々の方法により、媒体２３に印字する色（すなわちインク層１２の色）を入力又は検知して制御部５０に与えることができる。例えば、キー入力部４１が、印字する色を指定する操作キー４１ａを備えるようにしてもよいし、又は、印字色検出センサ４２がインクカートリッジ２０Ｄの色（すなわち、インク層１２の色）を検出するようにする方法を適用することができる。
【０１０６】
例えば、キー入力部４１は、操作キー４１ａを備える場合、ユーザが操作キー４１ａを操作して印字する色を指定することにより、キー入力部４１は、ユーザが希望する印字色を示す操作キー信号を制御部５０に与える。これにより、制御部５０は、これを受けてどの色で印字するかを検知することができ、その印字色に応じて土台層１１Ｄの発色を調整することができる。
【０１０７】
また、印字色検出センサ４２が、インクカートリッジ２０Ｄの色を検出する場合には、次のような方法を取ることができる。例えば、インクリボンカートリッジ２０Ｄが有する印字色を識別するための物理的な識別要素（例えば印字色の情報が記された二次元バーコード等）を有する。そして、印刷装置３０Ｄにインクカートリッジ２０Ｄが収納されると、印字色検出センサ４２が物理的な識別要素を検出し（例えば、上記の二次元バーコードを光学的に読み取り、当該二次元バーコードから印字色の情報を取り出し）、その検出した色を示すセンサ信号を制御部５０に与える。これにより、制御部５０は、これを受けてどの色で印字するかを検知することができ、その印字色に応じて土台層１１Ｄの発色を調整することができる。
【０１０８】
出力部６０は、印刷構成と表示構成とからなる。ここで、印刷構成は、媒体２３に対して通常の印刷を行う構成であり、表示構成は、媒体２３に印刷させる印刷データや操作情報を表示する構成である。サーマルヘッド６２は、制御部５０の制御下で、ヘッド駆動回路６４によって駆動される。制御部５０によるサーマルヘッド６２の熱の印加調整については、動作の項で説明するが、印字色に応じて発色させる土台層１１Ｄの色を決定し、その土台層１１Ｄを発色させる色に応じて、熱の印加温度及び又は印加時間を調整する。
【０１０９】
また、テープリボン・走行機構６１及び液晶ディスプレイ６５は、制御部５０の制御下で、走行駆動回路６３及びディスプレイ駆動回路６６によって駆動される。なお、印刷された媒体２３の切断は、例えば、ユーザからの外力やモータ等によって駆動されるカッタ（図示しない）によって行なわれる。
【０１１０】
制御部５０は、例えば、マイクロコンピュータによって構成されており、ＣＰＵ５１、ＲＯＭ５２、ＲＡＭ５３、キャラクタジェネレーションＲＯＭ（ＣＧ−ＲＯＭ）５４、入力インタフェース５５及び出力インタフェース５６がシステムバス５７を介して接続されて構成されている。ＲＯＭ５２は、１又は複数のＲＯＭチップでなり、ＲＯＭ５２には、各種の処理プログラムや固有のデータ等が格納されている。例えば、サーマルヘッド６２の熱印加設定の実行プログラム５２ａ（以下、熱印加設定プログラムともいう）が格納されている。
【０１１１】
（Ｅ−２）第５の実施形態の動作
次に、印刷時に、印字する色に応じてインクリボン１０Ｄの土台層１１Ｄが複数の色に発色させる動作を、図面を参照しながら説明する。
【０１１２】
図１１は、印刷装置３０Ｄにおいてサーマルヘッド６２がインクリボン１０Ｄに印加する熱の印加調整を行なうフローチャートである。
【０１１３】
まず、印刷装置３０Ｄは、収納するインクカートリッジ２０Ｄの色を検知する（ステップＳ１０１）。このインクカートリッジ２０Ｄの色の検知方法は、上述したように、例えば操作キー４１ａによるユーザ操作を受けて印字色の入力を受けたり、また例えば印字色検出センサ４２によるインクカートリッジ２０Ｄの色検出をしたりする方法を適用できる。
【０１１４】
印刷装置３０Ｄの制御部５０が、入力部４０からインクカートリッジ２０Ｄの色を示す信号を受けると、その色に応じてインクリボン１０Ｄの土台層１１を発色させる色を決定し、その発色させる色に応じた熱の印加設定を行ない（ステップＳ１０２）、制御部５０は印刷処理を制御する（ステップＳ１０３）。
【０１１５】
ここで、熱の印加設定の方法は、種々の方法を広く適用することができるが、例えば、次のような方法を適用することができる。例えば、熱印加設定プログラム５２ａは、図１２に例示するような印加設定テーブルを有し、この印加設定テーブルを参照しながら熱の印加設定を行なう方法を適用できる。
【０１１６】
図１２に例示するように、印加設定テーブルは、「印字する色」、「発色層」、「印加温度」、「印加時間」を項目として有する。例えば、印字する色が「赤色」の場合、発色層は「赤色発色層」とし、この赤色発色層１１４を発色させるためには、サーマルヘッド６２が印加する印加温度は「Ａ」であり、印加時間は「Ｄ」であることを示す。つまり、制御部５０では、ＣＰＵ５１が熱印加設定プログラム５２ａを実行し、インクカートリッジ２０Ｄの色に基づいて印加設定テーブルを参照して、サーマルヘッド６２が印加する熱の印加温度、印加時間を設定する。
【０１１７】
図１３は、第５の実施形態のインクリボン１０Ｄの印刷後のインク層１２及び土台層１１Ｄの状態を説明する断面図である。例えば、インクカートリッジ２０Ｄの色（すなわちインク層１２の色）が「赤色」の場合、制御部５０の制御下で、サーマルヘッド６２は、赤色発色層１１４を発色できる印加温度、印加時間の熱をインクリボン１０Ｄに印加する。これにより、インクリボン１０Ｄでは、熱が印加された部分（図１２の（Ａ））のインク層１２は剥離する。また、熱が印加された部分（図１２の（Ａ））の赤色発色層１１４は赤色に変色する。
【０１１８】
図１４は、第５の実施形態におけるインクリボン１０Ｄの印刷後の状態を示した説明図である。
【０１１９】
図１４（ａ）は、印刷後のインクリボン１０Ｄにおけるインク層１２の状態を示している。この状態は図１（ａ）と同じである。
【０１２０】
図１４（ｂ）は、印刷後の土台層１１Ｄの状態を示している。図１４（ｂ）に示すように、サーマルヘッド６２によって印刷データ「ＧＦＥＤＣＢＡ」に対応する熱が加えられた部分は、印字する色に応じた色に変色しており、その他の部分は変色していない（図では白色で示している。）。
【０１２１】
そして、図１４（ｃ）は、印刷後のインクリボン１０Ｄ全体の状態、すなわち図１４（ａ）のインク層１２と図１４（ｂ）の土台層１１Ｄを重ね合わせた状態を示している。
【０１２２】
図１４（ｃ）に示すように、インクリボン１０Ｄは、土台層１１Ｄにおいて、インク層１２が剥離した部分と土台層１１Ｄにおいて加熱により変色した部分が一致し、土台層１１Ｄの変色部分の色は土台層１１Ｄに残存したインク層１２の色と同じであるため、全体としてインク層１２の色と同じ色と視認されることになる。
【０１２３】
（Ｅ−３）第５の実施形態の効果
以上のように、第５の実施形態によれば、インクリボン１０Ｄは、土台層１１Ｄがサーマルヘッド６２からの熱の印加温度や印加時間の違いにより、それぞれ異なる色に変色するため、インク層１２の色が異なる場合でも、そのインク層１２の色と同一又は近似する色に変色することができる。そのため、印刷後にインク層１２が残存する部分と媒体２３に転写された部分とを視覚によって区別することが困難となり、印刷残像から印刷内容を認識することを困難としている。すなわち、第５の実施形態でも、第１の実施形態と同様の効果を奏している。
【符号の説明】
【０１２４】
１０、１０Ａ、１０Ｂ、１０Ｃ、１０Ｄ…インクリボン、１１、１１Ａ、１１Ｂ、１１Ｃ、１１Ｄ…土台層、１２…インク層、２１…インク、２０、２０Ａ、２０Ｂ、２０Ｃ、２０Ｄ…インクリボンカートリッジ、２４…媒体、３０、３０Ａ、３０Ｂ、３０Ｃ、３０Ｄ…印刷装置。
【図１】
2011011537.tif 000003
【図２】
2011011537.tif 000004
【図３】
2011011537.tif 000005
【図４】
2011011537.tif 000006
【図５】
2011011537.tif 000007
【図６】
2011011537.tif 000008
【図７】
2011011537.tif 000009
【図８】
2011011537.tif 000010
【図９】
2011011537.tif 000011
【図１０】
2011011537.tif 000012
【図１１】
2011011537.tif 000013
【図１２】
2011011537.tif 000014
【図１３】
2011011537.tif 000015
【図１４】
2011011537.tif 000016